(57)【特許請求の範囲】
【請求項１】
同一出力方路の帯域を共用する複数コネクションに属するセルが入力されるセルバッファと、前記コネクション毎に使用帯域を観測する観測手段と、前記セルバッファのキュー長と閾値とを比較する閾値手段と、前記セルバッファの前段に設けられこの閾値手段により閾値超過が検出されると前記コネクション毎に前記フレーム単位でセルを廃棄する廃棄手段とを備えた帯域共用回路において、
前記観測手段により観測された前記コネクション毎の帯域にしたがって前記閾値手段が閾値の超過を検出してから前記廃棄手段が実際にセル廃棄を開始するまでの時間に遅延を付与する調整手段を備えた
ことを特徴とする帯域共用回路。
【請求項２】
前記セルバッファの前段に前記観測手段により観測された帯域が前記コネクション毎に設定された許容帯域を超過したとき当該超過コネクションに属するセルでありかつ帯域を超過したセルにフレーム単位でマーキングをするマーキング手段が設けられ、
このマーキング手段は前記コネクション毎にマーキングを行わない限界を示す許容帯域を複数設定するマーキング手段であり、
前記調整手段は前記遅延を付与する代わりに、前記観測手段により観測された前記コネクション毎の帯域にしたがって前記マーキング手段の前記コネクション毎に複数設定されたいずれかの前記許容帯域を選択する調整手段を備えた請求項１記載の帯域共用回路。
【請求項３】
前記調整手段は、使用帯域が所定の値に満たないにもかかわらず前記廃棄手段がコネクションに属するセルを廃棄した場合には、このコネクションに属するセルに対する廃棄を開始する閾値を所定の上限値を超過しない範囲の値に増加させる、およびまたは、使用帯域が所定の値を超過する他のコネクションに属するセルに対する廃棄を開始する閾値を所定の下限値を超過しない範囲の値に減少させる調整手段を備えた請求項１または２記載の帯域共用回路。
【請求項４】
同一出力方路の帯域を共用する複数コネクションに属するセルが入力されるセルバッファと、前記コネクション毎に使用帯域を観測する観測手段と、前記セルバッファのキュー長と閾値とを比較する閾値手段と、前記セルバッファの前段に設けられこの閾値手段により閾値超過が検出されると前記コネクション毎に前記フレーム単位でセルを廃棄する廃棄手段とを備えた帯域共用回路において、
前記閾値手段は複数の閾値が設定され、
前記観測手段により観測された前記コネクション毎の帯域にしたがって前記閾値手段のいずれかの閾値を選択する調整手段を備え、
前記調整手段は、使用帯域が所定の値に満たないにもかかわらず前記廃棄手段がコネクションに属するセルを廃棄した場合には、このコネクションに属するセルに対する廃棄を開始する前記閾値を所定の上限値を超過しない範囲の値に増加させる、または、使用帯域が所定の値を超過する他のコネクションに属するセルに対する廃棄を開始する前記閾値を所定の下限値を超過しない範囲の値に減少させる調整手段を備えた
ことを特徴とする帯域共用回路。
【発明の詳細な説明】
【０００１】
【発明の属する技術分野】
本発明は複数のコネクション間で単一または複数の出力方路の帯域を公平に共用する回路に関する。特にＡＴＭ（Ａｓｙｎｃｈｒｏｎｏｕｓ  Ｔｒａｎｓｆｅｒ  Ｍｏｄｅ）においてＧＦＲ（Ｇｕａｒａｎｔｅｅｄ  Ｆｒａｍｅ  Ｒａｔｅ）  サービスを提供する場合に適する。
【０００２】
【従来の技術】
ＡＴＭ  ＦｏｒｕｍのＧＦＲ（Ｇｕａｒａｎｔｅｅｄ  Ｆｒａｍｅ  Ｒａｔｅ）  と呼ばれるサービスクラスを実現するためにＦＩＦＯ型帯域共用回路が提案されている。ＧＦＲサービスとは、ＡＴＭ  Ｆｏｒｕｍ  Ｔｒａｆｆｉｃ  Ｍａｎａｇｅｍｅｎｔ  Ｓｐｅｃｉｆｉｃａｔｉｏｎ  ４．１に記載のあるように、複数のセルからなるフレームレベルで最低帯域を保証し、かつ余剰帯域を公平に分配するサービス形態である。
【０００３】
従来のＦＩＦＯ型帯域共用回路を図８および図９を参照して説明する。図８は帯域共用回路に入力されるセルと帯域共用回路の内部でのセルの状態を示す図である。図９は帯域共用回路から出力されたセルの状態を示す図である。
【０００４】
図８では、帯域共用回路１の入力方路からコネクションＡおよびＢのセルが到来する。コネクションＡおよびＢのセルは、帯域共用回路１により、図９に示すように、ＧＦＲサービスに適合する帯域に整えられて共用する出力方路に送出される。
【０００５】
【発明が解決しようとする課題】
しかしながら、例えば１９９８年電子情報通信学会ソサイエティ大会予稿集Ｂ−６−４３「仮想ＭＣＲによるＦＩＦＯ型ＧＦＲ回路の公平性の改善」田中淳他著に記載のあるように、このＦＩＦＯ型帯域共用回路は入力帯域依存性があり、入力帯域の大きなコネクションほど出力帯域を多く得る特性があるため、帯域を共用する複数のコネクションに帯域差が存在する場合には、帯域の小さなコネクションに対する公平性が欠如しており、ＧＦＲサービスの公平性の要件を満足しない。
【０００６】
例えば、図８および図９の例では、帯域共用回路１に２入力があり、２入力からの共用する帯域が入力の２セル時間毎に３セル分の出力帯域とし、廃棄閾値は入力帯域に関係なく１セル分としたときの例を示す。図中大文字のＡおよびＢは最低帯域分のセルであり、小文字のａおよびｂは最低帯域を超過したセルを意味する。なお、ここで１フレームは１セルからなるとした。
【０００７】
両入力は、図８に示す帯域共用回路１の内部での順番で入力し、残留セル数が廃棄閾値を超過する度に最低帯域以上のセルが廃棄される。その結果、図９に示すような形でセルが出力される。このように帯域共用回路１のセル廃棄閾値が帯域に関わりなく一定に設定されていると帯域の小さいコネクションＢの最低帯域以上の通過セル数に対する廃棄セルの割合がコネクションＡに比べて大きくなる。
【０００８】
本発明は、このような背景に行われたものであって、入力帯域の小さなコネクションほどセル廃棄を少なくする措置を付与することにより入力帯域の小さなコネクションに対する帯域使用率の低下を回避し、入力帯域によらない公平な出力帯域の共用を実現することができる帯域共用回路を提供することを目的とする。
【０００９】
【課題を解決するための手段】
本発明は、同一出力方路の帯域を共用する複数コネクションに属するセルが入力されるセルバッファと、前記コネクション毎に使用帯域を観測する観測手段と、前記セルバッファのキュー長と閾値とを比較する閾値手段と、前記セルバッファの前段に設けられこの閾値手段により閾値超過が検出されると前記コネクション毎にセルを前記フレーム単位で廃棄する廃棄手段とを備えた帯域共用回路である。
【００１０】
ここで、本発明の特徴とするところは、前記観測手段により観測された前記コネクション毎の帯域にしたがって前記閾値手段が閾値の超過を検出してから前記廃棄手段が実際にセル廃棄を開始するまでの時間に遅延を付与する調整手段を備えたところにある。
【００１１】
すなわち、本発明は、帯域の小さいコネクションの方が帯域の大きなコネクションよりもセルを廃棄される割合が大きくなる不公平を改善するために、コネクションの帯域の大きさによってセル廃棄閾値を可変に設定することを特徴とする。そのためには、セルバッファに蓄積されるセル数が閾値を超過し、セルバッファに入力されるセルを入力前に廃棄するときに、帯域の小さなコネクションのセルであれば、実際に廃棄を開始するまでの時間を遅らせる。これにより、その遅延時間内にセルバッファに入力されるセルについては廃棄を免れる。逆に、帯域の大きなコネクションのセルであれば、速やかに廃棄を開始する。このようにして、帯域の大きさによらず公平な帯域分配を実現できる。
【００１２】
あるいは、前記閾値手段は複数の閾値が設けられた閾値手段であり、前記調整手段は前記遅延を付与する代わりに、前記観測手段により観測された前記コネクション毎の帯域にしたがって前記閾値手段のいずれかの閾値を選択する調整手段を備える構成とすることもできる。
【００１３】
すなわち、セルバッファに蓄積されたセル数と閾値とを比較することにより廃棄を実行するか否かを決定する際に、帯域の小さなコネクションのセルが到来している期間では、帯域の大きなコネクションのセルが到来している期間よりも大きな閾値を選択することにより、帯域の大きさに対応してセルの廃棄閾値を可変に設定することができる。
【００１４】
あるいは、前記セルバッファの前段に前記観測手段により観測された帯域が前記コネクション毎に設定された許容帯域を超過したとき当該超過コネクションに属するセルでありかつ帯域を超過したセルにフレーム単位でマーキングをするマーキング手段が設けられ、このマーキング手段は前記コネクション毎にマーキングを行わない限界を示す許容帯域を複数設定するマーキング手段であり、前記調整手段は前記遅延を付与する代わりに、前記観測手段により観測された前記コネクション毎の帯域にしたがって前記マーキング手段の前記コネクション毎に複数設定されたいずれかの前記許容帯域を選択する調整手段を備える構成とすることもできる。
【００１５】
すなわち、許容帯域を超過しているセルにマーキングを施す際に、帯域の小さなコネクションのセルが到来している期間では、帯域の大きなコネクションのセルが到来している期間よりも大きな許容帯域を選択することにより、帯域の大きさに対応してセルの廃棄閾値を可変に設定することができる。
【００１６】
あるいは、前記調整手段は、使用帯域が所定の値に満たないにもかかわらず前記廃棄手段がコネクションに属するセルを廃棄した場合に、このコネクションに属するセルに対する廃棄を開始する閾値を所定の上限値を超過しない範囲の値に増加させる、およびまたは、使用帯域が所定の値を超過する他のコネクションに属するセルに対する廃棄を開始する閾値を所定の下限値を超過しない範囲の値に減少させる調整手段を備えた構成とすることもできる。
【００１７】
すなわち、前述した構成では、入力されるコネクションの帯域を観測することにより、その帯域に応じた閾値の設定を行ったが、この構成では、セルの廃棄状況を観測し、コネクションの帯域およびそのコネクションのセル廃棄状況に応じた閾値の設定を行う。例えば、使用帯域が所定の値に満たないにもかかわらずセルが廃棄されるコネクションが存在するときには、そのコネクションの廃棄閾値を増加させる、あるいは、他のコネクションの使用帯域が所定の値を越えているのにそのコネクションのセルが廃棄されていないためにこちらのコネクションの使用帯域が狭められている場合には、他のコネクションの廃棄閾値を減少させる、などの調整を行う。これらの調整動作は、その一方または両方が行われる。
【００１８】
このようにして、入力帯域の小さなコネクションほどセル廃棄を少なくする措置を付与することにより入力帯域の小さなコネクションに対する帯域使用率の低下を回避し、入力帯域によらない公平な出力帯域の共用を実現することができる。
【発明の実施の形態】
（第一実施例）
本発明第一実施例を図１および図２を参照して説明する。図１は本発明第一実施例の帯域共用回路の要部ブロック構成図である。図２は本発明第一実施例の調整手段の動作を示すフローチャートである。まず構成について説明する。本発明は、図１に示すように、同一出力方路の帯域を共用する複数コネクションに属するセルが入力されるセルバッファ１３と、前記コネクション毎に使用帯域を観測する観測手段１０と、セルバッファ１３の前段に設けられこの観測手段１０により観測された帯域が前記コネクション毎に設定された許容帯域を超過したとき当該超過コネクションに属するセルでありかつ帯域を超過したセルにフレーム単位でマーキングをするマーキング手段１１と、セルバッファ１３のキュー長と閾値とを比較する閾値手段１５と、セルバッファ１３の前段に設けられこの閾値手段１５により閾値超過が検出されると前記コネクション毎に前記フレーム単位でセルを廃棄する廃棄手段１２とを備えた帯域共用回路１である。
【００１９】
なお、前記フレーム単位はセルの集合として定義されるパケット等を想定しているが、廃棄手段１２による前記フレーム単位の廃棄およびマーキング手段１１による前記フレーム単位のマーキングは、単一セルからなるフレームに対して実行してもよい。
【００２０】
ここで、本発明の特徴とするところは、観測手段１０により観測された前記コネクション毎の帯域にしたがって閾値手段１５が閾値の超過を検出してから廃棄手段１２が実際にセル廃棄を開始するまでの時間に遅延を付与する調整手段１４を備えたところにある。
【００２１】
次に、あるコネクションに属するセルが入力した場合の動作について説明する。図１に示す本発明第一実施例の帯域共用回路１にセルが入力されると、まず観測手段１０により入力帯域が観測される。観測された帯域が設定帯域を超過した場合は、マーキング手段１１により閾値超過の際の優先廃棄を意味するマーキングが施される。ここで設定帯域の例としてコネクション毎に設定される最低保証帯域を例示することができる。
【００２２】
図２に示すように、調整手段１４は、この観測結果を入力することにより入力コネクションの帯域の大きさを認識する（Ｓ１、Ｓ２）。同時に調整手段１４は、閾値手段１５から閾値監視結果を入力する（Ｓ３）。セルバッファ１３に残存するセル数が閾値を超過している場合には（Ｓ４）、認識した帯域の大きさに対応する遅延時間経過後に（Ｓ５）、廃棄手段１２に廃棄指示を行う（Ｓ６）。
【００２３】
すなわち、マーキングされたセルは、セルバッファ１３に残存するセル数が閾値を超過しており、なおかつ超過後に超過したままで入力帯域に応じて付与される遅延時間が経過している場合は、廃棄手段１２によりフレーム単位で廃棄される。
【００２４】
マーキングされていないセルおよびマーキングされているセルであっても、セルバッファ１３に残存するセル数が閾値を超過していないかまたは閾値を超過しているが、超過後に超過したままで入力帯域に応じて付与される遅延時間が経過していない場合はセルバッファ１３に入力される。セルバッファ１３に入力されたセルはセルバッファ１３の出力帯域で順次出力される。
【００２５】
本発明第一実施例では、従来例と異なり、入力帯域に応じ、各コネクションのセル廃棄開始までの開始時間に遅延を付与する。付与する遅延は、例えば、
（閾値以上のバッファ量）×（当該コネクション最低保証帯域）／（全コネクション最低保証帯域の和）／（当該コネクションの入力速度）
や
（閾値以上のバッファ量）×（当該コネクション最低保証帯域）／（現在セル導通のある全コネクション最低保証帯域の和）／（当該コネクションの入力速度）や
（閾値以上のバッファ量）×（当該コネクション最低保証帯域）／（出力帯域）／（当該コネクションの入力速度）
や
（閾値以上のバッファ量）×（全コネクション数）／（当該コネクションの入力速度）
や
（閾値以上のバッファ量）／（現在セル導通のあるコネクション数）／（当該コネクションの入力速度）
などを示すことができる。
【００２６】
以上の設定により、本発明第一実施例は閾値超過後に残存セルにより占有されていないバッファ量を各コネクション間で公平に利用することができる。
【００２７】
また、マーキングはＡＴＭセルの場合には、セルのヘッダに存在するＣＬＰ領域に行ってもよいし、回路内で使用する特殊なタグを付与することでもよい。
【００２８】
さらに、本発明第一実施例の簡易版としてコネクション間で最低保証帯域やＰＣＲと呼ばれる最大帯域が異なっており、入力帯域が各々の値に比例する場合は、観測手段１０による観測した入力帯域ではなく想定される最大の入力帯域にて実行することも可能である。
【００２９】
（第二実施例）
本発明第二実施例を図３を参照して説明する。図３は本発明第二実施例の調整手段の動作を示すフローチャートである。本発明第二実施例は、本発明第一実施例のように廃棄開始までの時間に前記遅延を付与するのではなく、閾値手段１５にあらかじめ設定されている複数の閾値の超過情報を入力帯域に応じて選択することを特徴とする。したがって、要部ブロック構成は図１に示す本発明第一実施例のものと共通である。
【００３０】
図３に示すように、調整手段１４は、観測手段１０の観測結果を入力することにより入力コネクションの帯域の大きさを認識する（Ｓ７、Ｓ８）。これにより調整手段１４は、閾値手段１５から入力される複数の閾値の超過情報の中から認識した帯域の大きさに対応する閾値の超過情報を選択する（Ｓ９）。
【００３１】
すなわち、本発明第二実施例では、入力帯域が大きいコネクション程、セルバッファ内残存セルの閾値が低い値の超過情報を選択する。また、本発明第一実施例であれば、間断なく常時保証帯域以上のセルが入力される場合に、廃棄開始遅延時間が入力帯域別に設定されているとしても遅延時間が飽和レベルに達してしまう場合には、従来のＦＩＦＯ形式の帯域共用回路における入力帯域依存性を解消できなくなるが、本発明第二実施例では、入力帯域に応じて廃棄閾値自体が異なるため、常時廃棄が発生している状況下においても入力帯域依存性を抑制することができる。
【００３２】
（第三実施例）
本発明第三実施例を図４および図５を参照して説明する。図４は本発明第三実施例の帯域共用回路の要部ブロック構成図である。図５は本発明第三実施例の調整手段の動作を示すフローチャートである。本発明第三実施例の要部ブロック構成と本発明第一および第二実施例の要部ブロック構成との違いは、観測手段１０により観測された入力帯域に応じて調整手段１４が、本発明第一および第二実施例では廃棄手段１２に廃棄指示を出力しているが、本発明第三実施例では、マーキング手段１１を調整しているところが異なる。
【００３３】
図５に示すように、調整手段１４は、観測手段１０の観測結果を入力することにより入力コネクションの帯域の大きさを認識する（Ｓ１０、Ｓ１１）。これにより調整手段１４は、マーキング手段１１に対し、認識した帯域の大きさに対応する許容帯域を選択して設定する（Ｓ１２）。
【００３４】
すなわち、マーキング手段１１には前記コネクション毎に廃棄するセルと廃棄しないセルとを区別するためのマーキングを行わない限界を示す複数の許容帯域が設けられ、調整手段１４は、観測手段１０により観測された前記コネクション毎の帯域にしたがってマーキング手段１１の前記コネクション毎に複数設定されたいずれかの前記許容帯域を選択する。入力帯域が大きいコネクション程、低い値の許容帯域を設定する。
【００３５】
したがって、例えばマーキングしないセル量が入力帯域に反比例するような許容帯域を設定すれば、入力帯域と非マーキング帯域の積が一定となり、入力帯域依存性を抑制することができる。
【００３６】
（第四実施例）
本発明第四実施例の帯域共用回路を図６および図７を参照して説明する。図６は本発明第四実施例の帯域共用回路の要部ブロック構成図である。図７は本発明第四実施例の調整手段の動作を示すフローチャートである。本発明第一〜第三実施例は、入力されるコネクションの帯域に応じて閾値を変更するが、本発明第四実施例は、コネクションの帯域とセルの廃棄状況の両方に応じて閾値を変更することを特徴とする。
【００３７】
本発明第四実施例の帯域共用回路１の構成は、同一出力方路の帯域を共用する複数コネクションに属するセルが入力され、入力順にセルが出力されるセルバッファ１３と、コネクション毎に使用帯域を観測する観測手段１０と、このセルバッファ１３から出力方路に出力されずに残留しているセルの残量がコネクション毎に設定された閾値の超過を観測する閾値手段１５と、この閾値手段１５により閾値超過が観測されるとこのセルバッファ１３にセルを入力せずにコネクション毎にセルをフレーム単位で廃棄する廃棄手段１２と、この廃棄手段１２により廃棄されたセルのコネクションの利用帯域に応じて閾値手段１５の閾値を調整する調整手段１４とから構成される。
【００３８】
ここで構成として観測手段１０は、セルバッファ１３の後段に配置し、実際に読出のある帯域を観測しているが、セルバッファ１３の前段に配置し、本発明第一実施例同様に入力帯域を観測することとしてもよい。また、本発明第一実施例から第三実施例の構成と異なり、本発明第四実施例では、マーキング手段を具備していない。そのため、本発明第四実施例の廃棄手段１２はマーキング手段による被マーキングセルから構成されるマーキングパケットの優先廃棄はせずにセルの属するコネクションのみを識別して廃棄する。本発明第四実施例以外の他の実施例でも同様にマーキング手段によるマーキング処理ないしマーキング手段自体を除いた場合は同様に動作する。
【００３９】
次にあるコネクションに属するセルが入力した場合の動作について図７を参照して説明する。本発明第四実施例の帯域共用回路１からセルが出力されると、セルバッファ１３の後段に設けられた観測手段１０により読出された帯域が観測され、コネクション別利用帯域情報が得られる。これにより調整手段１４はセルの廃棄状況を認識する（Ｓ１３、Ｓ１４）。また、観測手段１０をセルバッファ１３の前段に設置した場合には、観測手段１０の設定帯域により調整手段１４はセルの廃棄状況を認識することができる。ここで設定帯域の例としてコネクション毎に設定される最低保証帯域を例示することができる。
【００４０】
各コネクションのセルは、セルバッファ１３に残存するセル数が当該コネクションの閾値を超過する場合は、廃棄手段１２により廃棄される。このセル廃棄はフレーム単位でセルを廃棄するＥＰＤ（ｅａｒｌｙ  ｐａｃｋｅｔ  ｄｉｓｃａｒｄ），ＰＰＤ（ｐａｒｔｉａｌ  ｐａｃｋｅｔ  ｄｉｓｃａｒｄ）等であるので、当該コネクションに属するセルがフレームを構成しておりかつ、フレームを構成するセルが既にセルバッファ１３内に存在する場合は廃棄しない。この例外措置の場合か、セルバッファ１３に残存するセル数が閾値を超過していない場合にセルはセルバッファ１３に入力される。セルバッファ１３に入力されたセルはセルバッファ１３の出力帯域で順次出力される。
【００４１】
本発明第四実施例では、コネクション毎に閾値を設定し、かつ、廃棄が発生した場合に、使用帯域に応じてコネクション毎の閾値を調整手段１４により変更する（Ｓ１５）。閾値の変更として以下の３パターンがある。なお、閾値の変更は、本発明第一〜第三実施例で説明したいずれの方法によってもよい。
（１）廃棄の発生した当該コネクションの閾値を、所定の上限値以下の値に増大させる。
（２）設定の使用帯域以上使用している他のコネクションの閾値を、所定の下限値以上の値に減少させる。
（３）（１）と（２）の両方を用いる。
【００４２】
このうち（２）の場合の廃棄の発生しなかったコネクション廃棄閾値を変更する所定の使用帯域は、（１）の場合の所定の使用帯域と値が異なっていてもよい。以上の変更により実効的に、使用帯域が少ないにも関わらず、セル廃棄ないしフレーム廃棄が発生しているコネクションに対するバッファ長が増大し不公平を抑圧することができる。
【００４３】
また、閾値の変更のトリガとなるセル廃棄ないしパケット廃棄は他のセルに比べて優先的にセル廃棄の対象であることを示すＣＬＰ（ｃｅｌｌ  ｌｏｓｓ  ｐｒｉｏｒｉｔｙ；優先廃棄）ビットが優先廃棄を指示していないセルの場合に限定することも可能である。その場合には、優先廃棄セル以外の廃棄のみがトリガとなる。これは優先廃棄セルとそれ以外に対するセル廃棄閾値が異なる場合に妥当である。
【００４４】
特に、観測手段１０により観測する設定帯域としてＧＦＲにおける最低保証帯域を設定した場合には、将来の最低保証帯域の保証を確実なものとすることができる。
【００４５】
逆に、契約上、非保証ではあるが他のユーザによるセル数が少ない場合に帯域を割り当てる非保証最大帯域に設定した場合には、契約を越えて伝送帯域を割当てている状況でセル廃棄が発生したときに実効的なバッファ長を与えないことになるので、契約を超過して伝送しているユーザへの無駄割当てを減らして実効的に他のユーザへの割当てを確保することができる。
【００４６】
【発明の効果】
以上説明したように、本発明によれば、入力帯域によらない公平な出力帯域の共用を実現することができる。
【図面の簡単な説明】
【図１】本発明第一実施例の帯域共用回路の要部ブロック構成図。
【図２】本発明第一実施例の調整手段の動作を示すフローチャート。
【図３】本発明第二実施例の調整手段の動作を示すフローチャート。
【図４】本発明第三実施例の帯域共用回路の要部ブロック構成図。
【図５】本発明第三実施例の調整手段の動作を示すフローチャート。
【図６】本発明第四実施例の帯域共用回路の要部ブロック構成図。
【図７】本発明第四実施例の調整手段の動作を示すフローチャート。
【図８】帯域共用回路に入力されるセルと帯域共用回路の内部でのセルの状態を示す図。
【図９】帯域共用回路から出力されたセルの状態を示す図。
【符号の説明】
１  帯域共用回路
１０  観測手段
１１  マーキング手段
１２  廃棄手段
１３  セルバッファ
１４  調整手段
１５  閾値手段
【図１】
0003602383.tif 000002
【図２】
0003602383.tif 000003
【図３】
0003602383.tif 000004
【図４】
0003602383.tif 000005
【図５】
0003602383.tif 000006
【図６】
0003602383.tif 000007
【図７】
0003602383.tif 000008
【図８】
0003602383.tif 000009
【図９】
0003602383.tif 000010